(57)【要約】【課題】多室型空気調和装置において暖房運転時間と室外熱交換器温度による判断で室外熱交換器の着霜を検知した場合でも、室温変動を招き快適性を損なう除霜運転を極力少なくする運転制御方法を備えた空気調和装置を提供する。【解決手段】運転している室内機１４全てで吸い込み温度Ｔｉｎ１とリモコン設定温度Ｓの温度差Ｊ１に比べて、所定の時間間隔の後に求めた温度差Ｊ２が大きくなっている場合には除霜運転を開始し、温度差Ｊ２が小さくなっている室内機１４が存在する場合には温度差Ｊ２が所定の温度差設定値Ｋ以上であれば除霜運転を開始することにより、快適性を損なう除霜運転を極力少なくすることができ、かつ適正に除霜運転を行うことができる。【選択図】図５
2007057191.tif 000002
【特許請求の範囲】
【請求項１】
能力可変型圧縮機、室外側熱交換器、室外送風機、減圧自在な電動式膨張弁、冷房運転と暖房運転とのサイクルを切換える四方弁、室外熱交換器温度検出手段、外気温度検出手段、室外機制御装置とを備えた室外機と、室内側熱交換器、室内送風機、減圧自在な電動式膨張弁、室内機吸い込み空気温度検出手段、室内機制御装置とをそれぞれ備えた複数の室内機とで構成される多室型空気調和装置において、
暖房運転時に暖房運転時間と室外熱交換器温度とによる判断で室外熱交換器への着霜を検知した際、運転している室内機ごとに吸い込み温度とリモコン設定温度との温度差を求め、全室内機とも所定の温度差以内の場合に除霜運転を開始する制御手段を備えたことを特徴とする空気調和装置。
【請求項２】
能力可変型圧縮機、室外側熱交換器、室外送風機、減圧自在な電動式膨張弁、冷房運転と暖房運転とのサイクルを切換える四方弁、室外熱交換器温度検出手段、外気温度検出手段、室外機制御装置とを備えた室外機と、室内側熱交換器、室内送風機、減圧自在な電動式膨張弁、室内機吸い込み空気温度検出手段、室内機制御装置とをそれぞれ備えた複数の室内機とで構成される多室型空気調和装置において、
暖房運転時に暖房運転時間と室外熱交換器温度とによる判断で室外熱交換器への着霜を検知した際、運転している室内機ごとに吸い込み温度とリモコン設定温度との温度差を所定の時間間隔で少なくとも２回求め、全室内機ともこの温度差が大きくなっている場合に除霜運転を開始する制御手段を備えたことを特徴とする空気調和装置。
【請求項３】
運転している全室内機とも吸い込み温度がリモコン設定温度に対して所定の温度差以上低い領域になってのち、運転している室内機ごとに吸い込み温度とリモコン設定温度との温度差を所定の時間間隔で少なくとも２回求め、全室内機ともこの温度差が大きくなっている場合に除霜運転を開始する制御手段を備えたことを特徴とする請求項２記載の空気調和装置。
【請求項４】
運転している全室内機とも、少なくとも２回求めた温度差が大きくなっていない場合には、その温度差が大きくなっていない室内機の全てにおいて、温度差が所定の温度差以上の場合に除霜運転を開始する制御手段を備えたことを特徴とする請求項２記載の空気調和装置。
【請求項５】
運転している全室内機とも吸い込み温度がリモコン設定温度に対して所定の温度差以内にない場合には、運転している全室内機とも所定の時間間隔で少なくとも２回求めた吸い込み温度とリモコン設定温度との温度差が大きくなっている場合か、或いはその全室内機の温度差が大きくなっていない場合でも、その温度差が大きくなっていない室内機の全てにおいて、温度差が所定の温度差以上の場合に除霜運転を開始する制御手段を備えたことを特徴とする請求項１記載の空気調和装置。
【発明の詳細な説明】
【技術分野】
【０００１】
本発明は、空気調和装置の特に除霜運転に関するものである。
【背景技術】
【０００２】
従来の空気調和装置における低外気温度下での暖房運転において、室外熱交換器に着霜が進行した場合の除霜制御方法は、図７のブロック図に示すように、暖房運転時間及び室外熱交換器温度Ｔｅに依存して除霜運転を開始するというものがある（例えば特許文献１参照）。
【０００３】
この特許文献１に開示された技術は、コンプレッサの吐出管とサクション管とを二方弁を介し相互に接続するとともに、この二方弁を除霜運転を開始するために四方弁を反転する前に一定時間開放することにより、除霜時間を短縮して暖房時の快適性を向上しようとするものである。
【特許文献１】特開平５−３４０５９３号公報
【発明の開示】
【発明が解決しようとする課題】
【０００４】
しかしながら、特に室内機を複数接続した多室型空気調和装置では、暖房運転時間と室外熱交換器温度による判断で室外機の除霜運転を行った場合、除霜実施頻度が多くなり、室内の温度変化を招き快適性の妨げとなる場合があった。
【０００５】
本発明は、上記従来の課題を解決するもので、多室型空気調和装置において暖房運転時間と室外熱交換器温度による判断で室外熱交換器の着霜を検知した場合でも、吸い込み温度（室温）とリモコン設定温度の温度差を除霜運転開始条件に追加することで、吸い込み温度がリモコン設定温度に近づいているような除霜が不要とされる状態での除霜運転を避け、室温変動を招き快適性を損なう除霜運転の実施頻度を極力少なくする運転制御手段を備えた空気調和装置の提供を目的とする。
【課題を解決するための手段】
【０００６】
上記課題を解決するために本発明は、室外機熱交換器への着霜を検知した場合に、全運転室内機の吸い込み温度とリモコン設定温度との温度差を求め、その差或いは吸い込み温度の昇降状況により除霜運転開始判断を決定するもので、除霜運転の実施頻度を少なくして室温変動を低減することができる。
【発明の効果】
【０００７】
本発明の空気調和装置は、室外機熱交換器への着霜を検知した場合に、全運転室内機の吸い込み温度とリモコン設定温度の温度差を除霜運転開始条件に追加することにより、除霜運転を暖房能力の比較的不要なサーモオフ近傍に限定でき、室温変動を招き快適性を損なう除霜運転の実施頻度を極力低減でき、快適性を向上することができる。
【発明を実施するための最良の形態】
【０００８】
第１の発明は、暖房運転時室外熱交換器への着霜を検知した際、運転している室内機ごとに吸い込み温度とリモコン設定温度との温度差を求め、全室内機とも所定の温度差以内になった場合に除霜運転を開始するようにすることにより、除霜運転を暖房能力の比較的不要なサーモオフ近傍に限定でき、室温変動を招き快適性を損なう除霜運転を極力低減することができる。
【０００９】
第２の発明は、運転している室内機ごとに吸い込み温度とリモコン設定温度との温度差を所定の時間間隔で少なくとも２回求め、全室内機ともこの差が大きくなっている場合に除霜運転を開始するようにすることにより、暖房運転を継続しても室温が下降するといった除霜運転が本当に必要な場合に除霜運転を行うことができ、室温が上昇している部屋が存在する場合の除霜運転を避けて、室温変動を招き快適性を損なう除霜運転を極力低減することができる。
【００１０】
第３の発明は、特に、第２の発明における空気調和装置において、運転している各室内機ごとに吸い込み温度とリモコン設定温度との温度差を求め、全室内機とも、吸い込み温度がリモコン設定温度に対して所定の温度差以上低い領域にあり、かつ吸い込み温度と設定温度の差が大きくなっている場合に除霜運転を開始するようにすることにより、除霜運転を暖房能力の比較的不要なサーモオフ近傍に限定でき、室温変動を招き快適性を損なう除霜運転を極力低減することができるばかりでなく、暖房運転を継続しても室温が下降するといった除霜運転が本当に必要な場合には、適正に除霜運転を行うことができる。
【００１１】
第４の発明は、特に、第２の発明における空気調和装置において、運転している室内機ごとに吸い込み温度とリモコン設定温度との温度差を求め、全室内機とも、吸い込み温度と設定温度の差が大きくなっていない場合には、その温度差が大きくなっていない室内機の全てにおいて、温度差が所定の温度差以上の場合に除霜運転を開始するようにすることにより、室温が上昇している部屋が存在する場合であっても、その室温がサーモオフ領域とかけ離れているといった除霜運転が本当に必要な場合には、適正に除霜運転を行うことができる。
【００１２】
第５の発明は、特に、第１の発明における空気調和装置において、運転している各室内機ごとに吸い込み温度とリモコン設定温度との温度差を求め、全室内機とも、吸い込み温度がリモコン設定温度に対して所定の温度差以内にない場合には、運転している全室内機とも所定の時間間隔で少なくとも２回求めた温度差が大きくなっている場合か、或いはその全室内機の温度差が大きくなっていない場合でも、その温度差が大きくなっていない室内機の全てにおいて、温度差が所定の温度差以上の場合に除霜運転を開始するようにすることにより、除霜運転を暖房能力の比較的不要なサーモオフ近傍に限定でき、室温変動を招き快適性を損なう除霜運転を極力低減することができるばかりでなく、暖房運転を継続しても室温が下降するといった場合や室温が上昇している部屋が存在する場合であっても、その室温がサーモオフ領域とかけ離れているといった除霜運転が本当に必要な場合には、適正に除霜運転を行うことができる。
【００１３】
以下、本発明の実施の形態について、図面を参照しながら説明する。なお、本実施の形態によって本発明が限定されるものではない。
【００１４】
（実施の形態１）
図１は本発明の実施の形態における空気調和装置の冷凍サイクル図である。同図において、冷凍サイクルは能力可変型圧縮機１、室外側熱交換器２、室外送風機３、減圧自在な電動式膨張弁４、冷房運転と暖房運転のサイクルを切換える四方弁５、室外熱交換器温度検出手段６、室外機制御装置７とを備えた室外機８と、室内側熱交換器９、室内送風機１０、減圧可能な電動式膨張弁１１、室内機吸い込み空気温度検出手段１２、室内機制御装置１３とをそれぞれ備えた複数の室内機１４とで構成されている。
【００１５】
図２は本発明の実施の形態１における空気調和装置の除霜運転開始制御のフローチャートである。暖房運転時、室外機制御装置７により検出した暖房運転時間Ｔ１と所定の時間設定値Ｔ０を比較し、また室外熱交換器温度検出手段６により検出した室外熱交換器温度Ｔｅ１と所定の温度設定値Ｔｅ０を比較した結果、Ｔ１＞Ｔ０かつＴｅ１＜Ｔｅ０を満足
した場合、室外側熱交換器２が着霜したと判断する。
【００１６】
次に運転している各室内機１４において、室内機吸い込み空気温度検出手段１２が検出した吸い込み温度Ｔｉｎ１とリモコン設定温度Ｓとの温度差（Ｓ−Ｔｉｎ１）Ｊ１を求める。運転している室内機１４全てで温度差Ｊ１が所定の温度差設定値Ｉ以内、すなわちＪ１＜Ｉを満足すれば除霜運転を開始し、満足しなければ暖房運転を継続する。
【００１７】
この制御により、除霜運転を暖房能力の比較的不要なサーモオフ近傍に限定でき、室温変動を招き快適性を損なう除霜運転を極力低減することができる。
【００１８】
（実施の形態２）
図３は本発明の実施の形態２における空気調和装置の除霜運転開始制御のフローチャートである。室外機熱交換器２への着霜判断は実施の形態１と同様のため省略する。
【００１９】
運転している各室内機１４において、室内機吸い込み空気温度検出手段１２が検出した吸い込み温度Ｔｉｎ１とリモコン設定温度Ｓとの温度差（Ｓ−Ｔｉｎ１）Ｊ１を求める。所定の時間間隔で吸い込み温度Ｔｉｎ２とリモコン設定温度Ｓを比較して得られた温度差Ｊ２と前の温度差Ｊ１を比較し、運転している室内機１４全てで温度差Ｊ２が大きくなっている場合、すなわちＪ２＞Ｊ１を満足すれば除霜運転を開始し、満足しなければ暖房運転を継続する。
【００２０】
この制御により、室温が上昇している部屋が存在する場合の除霜運転を避けることができ、室温変動を招き快適性を損なう除霜運転を極力低減することができるばかりでなく、暖房運転を継続しても室温が下降するといった除霜運転が本当に必要な場合には、適正に除霜運転を行うことができる。
【００２１】
（実施の形態３）
図４は本発明の実施の形態３における空気調和装置の除霜運転開始制御のフローチャートである。室外機熱交換器２への着霜判断は実施の形態１と同様のため省略する。
【００２２】
運転している各室内機１４において、室内機吸い込み空気温度検出手段１２が検出した吸い込み温度Ｔｉｎ１とリモコン設定温度Ｓとの温度差（Ｓ−Ｔｉｎ１）Ｊ１を求める。運転している室内機１４全てで温度差Ｊ１が所定の差温設定値Ｉ以内、すなわちＪ１＜Ｉを満足し、かつ所定の時間間隔で吸い込み温度Ｔｉｎ２とリモコン設定温度Ｓを比較して得られた温度差（Ｓ−Ｔｉｎ２）Ｊ２と前の温度差Ｊ１とを比較し、温度差Ｊ２が大きくなっている場合、すなわちＪ２＞Ｊ１を満足すれば除霜運転を開始し、満足しなければ暖房運転を継続する。
【００２３】
この制御により、除霜運転を暖房能力の比較的不要なサーモオフ近傍に限定でき、室温変動を招き快適性を損なう除霜運転を極力低減することができるばかりでなく、暖房運転を継続しても室温が下降するといった除霜運転が本当に必要な場合には、適正に除霜運転を行うことができる。
【００２４】
（実施の形態４）
図５は本発明の実施の形態４における空気調和装置の除霜運転開始制御のフローチャートである。室外機熱交換器２への着霜判断は実施の形態１と同様のため省略する。
【００２５】
運転している各室内機１４において、室内機吸い込み空気温度検出手段１２が検出した吸い込み温度Ｔｉｎ１とリモコン設定温度Ｓとの温度差（Ｓ−Ｔｉｎ１）Ｊ１を求める。所定の時間間隔で吸い込み温度Ｔｉｎ２とリモコン設定温度Ｓを比較して得られた温度差
（Ｓ−Ｔｉｎ２）Ｊ２と前の温度差Ｊ１を比較し、運転している室内機１４全てで温度差Ｊ２が大きくなっている場合、すなわちＪ２＞Ｊ１を満足すれば除霜運転を開始する。但し温度差Ｊ２が小さくなっている、すなわちＪ２＞Ｊ１を満足しない室内機１４が存在しても、そのような室内機１４の全ての温度差Ｊ２が所定の温度差設定値Ｋ以上、すなわちＪ２＞Ｋを満足すれば除霜運転を開始し、満足しなければ暖房運転を継続する。
【００２６】
この制御により、室温が上昇している部屋が存在する場合であっても、その室温がサーモオフ領域とかけ離れているといった除霜運転が本当に必要な場合には、適正に除霜運転を行うことができる。
【００２７】
（実施の形態５）
図６は本発明の実施の形態５における空気調和装置の除霜運転開始制御のフローチャートである。室外機熱交換器への着霜判断は実施の形態１と同様のため省略する。
【００２８】
運転している各室内機１４において、室内機吸い込み空気温度検出手段１２が検出した室内機吸い込み温度Ｔｉｎ１とリモコン設定温度Ｓとの温度差（Ｓ−Ｔｉｎ１）Ｊ１を求める。運転している室内機１４全てで温度差Ｊ１が所定の温度差設定値Ｉ以内、すなわちＪ１＜Ｉを満足すれば除霜運転を開始する。一方、Ｊ１＜Ｉを満足しない室内機が存在しても、その室内機で所定の時間間隔で吸い込み温度Ｔｉｎ２とリモコン設定温度Ｓを比較して得られた温度差（Ｓ−Ｔｉｎ２）Ｊ２と前の温度差Ｊ１を比較し、温度差Ｊ２が大きくなっている場合、すなわちＪ２＞Ｊ１を満足すれば除霜運転を開始する。さらに、Ｊ２＞Ｊ１を満足しない室内機１４が存在しても、その室内機１４で得られた温度差Ｊ２が所定の温度差設定値Ｋ以上、すなわちＪ２＞Ｋを満足すれば除霜運転を開始し、満足しなければ暖房運転を継続する。
【００２９】
これらの運転により、除霜運転を暖房能力の比較的不要なサーモオフ近傍に限定でき、室温変動を招き快適性を損なう除霜運転を極力低減することができるばかりでなく、暖房運転を継続しても室温が下降するといった場合や室温が上昇している部屋が存在する場合であっても、その室温がサーモオフ領域とかけ離れているといった除霜運転が本当に必要な場合には、適正に除霜運転を行うことができる。
【産業上の利用可能性】
【００３０】
本発明の運転制御方法は、複数の室内機と１台の室外機からなる多室型空気調和装置に限定されるものではなく、１対の室内機と室外機からなる空気調和装置にも適用できる。
【図面の簡単な説明】
【００３１】
【図１】本発明の実施の形態を示す冷凍サイクル図
【図２】本発明の実施の形態１における空気調和装置の除霜運転開始制御のフローチャート
【図３】本発明の実施の形態２における空気調和装置の除霜運転開始制御のフローチャート
【図４】本発明の実施の形態３における空気調和装置の除霜運転開始制御のフローチャート
【図５】本発明の実施の形態４における空気調和装置の除霜運転開始制御のフローチャート
【図６】本発明の実施の形態５における空気調和装置の除霜運転開始制御のフローチャート
【図７】従来の空気調和装置の除霜制御ブロック図
【符号の説明】
【００３２】
１  能力可変型圧縮機
２  室外側熱交換器
３  室外送風機
４  室外機電動式膨張弁
５  四方弁
６  室外熱交換器温度検出手段
７  室外機制御装置
８  室外機
９  室内側熱交換器
１０  室内送風機
１１  室内機電動式膨張弁
１２  室内機吸い込み空気温度検出手段
１３  室内機制御装置
１４  室内機
Ｔｉｎ  吸い込み温度
Ｓ  リモコン設定温度
Ｊ１，Ｊ２  吸い込み温度とリモコン設定温度の温度差
Ｉ，Ｋ  所定の温度差設定値
【図１】
2007057191.tif 000003
【図２】
2007057191.tif 000004
【図３】
2007057191.tif 000005
【図４】
2007057191.tif 000006
【図５】
2007057191.tif 000007
【図６】
2007057191.tif 000008
【図７】
2007057191.tif 000009